(57)【要約】      （修正有）【課題】運転者が座った状態で、自動車のサイド・ミラーの水滴や氷雪を、容易に除去出来るハンド・ワイパーの開発と、ハンド・ワイパーの広告ビジネス・システムの創造。【解決手段】伸縮出来るハンド部分110Aと、水滴や汚れを除去するワイパー部分120Wで構成する。運転者は運転席に座った状態で、ハンド・ワイパーを使用して左右のサイド・ミラーを拭う事が出来る。更に、ハンド・ワイパーに広告スペースを設定する。ハンド・ワイパーの広告スペースの販売と、ハンド・ワイパーを不特定多数の運転者に無償提供するシステムを組合せて、新しいスタイルの広告ビジネス・システムを創造する。ハンド・ワイパーの無償普及の方法は、自動車の販売、ガソリン・スタンド、カー用品販売店等のサービス品として提供する。広告スペースを設定したハンド・ワイパーを車内に常置して、広告ビジネス・システムとして新しい付加価値を創造する。【選択図】図１
2005156794.tif 000002
【特許請求の範囲】
【請求項１】
本発明のハンド・ワイパーは自動車の車内に常置して、水滴や汚れでサイド・ミラーの視界が不良になった時に、ミラーを拭う為のハンド・タイプのワイパーである。
ハンド・ワイパーは、使用時に伸縮出来るハンド部分と、サイド・ミラーを拭うに適した素材と大きさを持つワイパー部分で構成する。
ハンド・ワイパーは通常、ハンド部分を縮めてドアー・ポケットに収納出来る。
運転者は運転席に座った状態で、左のサイド・ミラーを拭う時は左の窓を自動で開き、ハンド・ワイパーのハンド部分を伸ばして使用する。
右のサイド・ミラーを拭う時は、右の窓を開きハンド部分を縮めて使用する。
運転の支障となるサイド・ミラーの水滴や汚れを、運転席に座った状態で容易に除去出来る、便利なハンド・ワイパーです。
【請求項２】
本発明では、自動車の車内に常置するハンド・ワイパーに広告スペースを設定する。
ハンド・ワイパーの広告スペースの販売と、
ハンド・ワイパーを不特定多数の運転者に無償で提供するシステムを組合せて、新しいスタイルの広告ビジネスを創造する。
ハンド・ワイパーの無償提供の普及方法は、自動車の販売、ガソリン・スタンド、カ―用品販売店等からサービス品として提供する。
自動車の車内に常置するハンド・ワイパーを広告媒体としたニュー・ビジネスです。
【発明の詳細な説明】
【技術分野】
【０００１】
自動車のサイド・ミラーの水滴や汚れを拭き取るワイパーに関するものである。
【背景技術】
【０００２】
運転者はサイド・ミラーの水滴や汚れを拭う事は真に煩わしい。
運転席に座った状態で、左側のサイド・ミラーの汚れを拭く事は出来ないからでしょう。
国産自動車は勿論、欧米の高級車でも、運転席に座った状態でサイド・ミラーを拭ける便利な機材は、常置されていない。
【０００３】
自動車の車内には、常置の広告媒体になり得る物は置かれていない。
【発明の開示】
【発明が解決しようとする課題】
【０００４】
自動車のサイド・ミラーの視界不良は、安全運転の大きな支障となる。
運転者が運転席に座った状態でサイド・ミラーが拭けるハンド・ワイパーの提供。
【０００５】
車内常置のハンド・ワイパーを媒体とした、新しいスタイルの広告ビジネスの創造。
【課題を解決するための手段】
【０００６】
運転者が運転席に座った状態で、ハンド・ワイパーのハンド部分を伸縮して、容易にサイド・ミラーの水滴や汚れを拭う機材の提供。
ハンド・ワイパーのワイパー部分は、サイド・ミラーを拭うに適した素材と、形状にマッチした大きさにする。
【０００７】
本発明では、自動車の車内に常置するハンド・ワイパーに広告スペースを設定する。
ハンド・ワイパーの広告スペースの販売と、不特定多数の運転者にハンド・ワイパーを無償提供で提供するシステムを組合せて、新しいスタイルの広告ビジネス・システムを創造する。
ハンド・ワイパー無償提供の普及方法は、自動車の販売、ガソリン・スタンド、カー用品販売店等からサービス品として提供する。
【発明の効果】
【０００８】
運転者が運転席に座った状態で、ハンド・ワイパーのハンド部分を伸縮してサイド・ミラー水滴や曇りを拭く事が出来るから、サイド・ミラーを拭く煩わしさも無く、運転の支障となるミラーの汚れに関する問題は容易に解決される。
【０００９】
車内常置のハンド・ワイパーに設定した広告スペースの販売と、ハンド・ワイパーの無償提供をするシステムを組合せた、新しいスタイルのビジネス・システムを創造して、広告ビジネスに新しいジャンルを開く。
【００１０】
車社会の今日、職場に家庭に膨大な自動車が保有されている。
そして自動車は毎年夥しい数量が生産されている。
これらの自動車を対象にして、無償で提供するハンド・ワイパーの供給量も膨大な数量となるが、これは同時に膨大な広告媒体が生れる事である。
【００１１】
欧米の場合日本以上の車社会であり、多くの高級車も生産されているが、サイド・ミラーの水滴や汚れを拭う為の便利なハンド・ワイパーは自動車の機材として存在していない、当然、欧米の自動車も本広告ビジネスの対象となり得る。
ハンド・ミラーを媒体とした本広告ビジネスは、ビッグビジネスとなり得るシステムです。
【００１２】
自動車の常置のハンド・ワイパーを媒体とした広告は、特に一般の人を対象にしない、
殆んど運転者の占有広告となるから量的な広告効果は極めて少ない。
然し、同じ自動車を保有している長い期間中、ハンド・ワイパーを使用する時には必ず広告を見る、反復して広告を運転者に印象付けるから質的に高い広告効果が期待できる。
多くの人が同時に見るつり革広告や、新聞広告の様な一過性の広告と、反復して見る占有広告の印象を比較すると、当然反復する占有広告の方が強く印象に残る。
【００１３】
一般のつり革広告や新聞広告は効果を高める為に、大きく多きさが求められる、
ハンド・ワイパーの様な占有広告は、広告面の形状は小さくても要点を列記して効果を得る事が出来る。
一般的な広告と占有広告を効果や料金面で比較する事は、広告事業の将来の為に必要である。
閉鎖的な自動車内で、占有的な広告は孤独になり勝ちな運転者と社会の接点として、新しいコミュニケーションの基本となり得るでしょう。
【発明を実施するための最良の形態】
【００１４】
本発明では、自動車の運転者は運転席に座った状態で、左の窓を開けてハンド・ワイパーのハンド部分を伸ばして左のサイド・ミラーの水滴や、氷雪を拭う。
右の窓を開けてハンド・ワイパーのハンド部分を縮めて、右のサイド・ミラーの水滴や氷雪を拭う。
【００１５】
本発明は、ハンド・ワイパーに広告スペースを設定する。
広告スペースの販売と、ハンド・ワイパーの無償提供システムを組合せて、新しいスタイルの広告ビジネスを創造する。
【実施例１】
【００１６】
図２はハンド・ワイパーの使用時の姿図です。
ハンド・ワイパーは、伸ばして約６５糎、縮めて約３５糎程度に伸縮出来るハンド部分と、
サイド・ミラーを拭くに適した素材と充分な大きさを持つワイパー部分で構成する。
【００１７】
ハンド・ワイパーの使用形態は、運転者は運転席に座った状態で、左右の窓を自在に開き、ハンド部分を伸縮してサイド・ミラーの水滴や汚れを除去する。
【００１８】
ハンド・ワイパーは、不特定多数の運転者に無償提供して、安全運転に貢献する。
【実施例２】
【００１９】
図１は本広告ビジネス・システムの説明図です。
自動車内に常置するハンド・ワイパーに広告スペースを設定する。
ハンド・ワイパーの広告スペースの販売と、ハンド・ワイパーを無償提供するシステムを組合せて、新しいスタイルの広告ビジネス・システムを創造する。
【００２０】
ハンド・ワイパーをケースに収納すると、収納ケースも広告スペースとなる。
広告スペースは多様に拡大して、広告主のいろいろな要望に大きさで対応する事が出来る。
【００２１】
ハンド・ワイパーの無償普及の方法は、自動車の販売、ガソリン・スタンド、カー用品販売店等からサービス品として提供する。
【図面の簡単な説明】
【００２２】
【図１】ハンド・ワイパーを媒体とした広告ビジネス・システムの説明図です。
【図２】ハンド・ワイパーの使用時の姿図です。
【符号の説明】
【００２３】
符    号                説        明
１００H・W            ハンド・ワイパー本体
１１０A                ハンド部分の鞘
１１０B                ハンド部分の内棒
１１０S                ハンド部分の伸縮スライド・スットパー
１２０W                ワイパー部分
１１０A・PR            ハンド部分の鞘側広告スペース
１１０B・PR            ハンド部分の内棒広告スペース
【図１】
2005156794.tif 000003
【図２】
2005156794.tif 000004